(57)【要約】【課題】撮影室外から撮影室内の様子を確認し、撮影操作を行うことを可能とする。【解決手段】写真撮影装置１００はボックス型に形成されている。ボックス内部には撮影室Ｒが設けられており、撮影室Ｒへの出入り口にはカーテンが開閉可能に取り付けられている。また、写真撮影装置１００の外壁には、撮影室Ｒ内での撮影を操作するための操作画面等を表示する外部表示部９２、撮影操作の操作指示を入力するための外部操作部９３、操作者の動画映像を撮影するための外部カメラ９１、操作者の音声を入力するための外部マイク９４、アナウンス又は撮影室Ｒ内の被撮影者の音声を出力する外部スピーカ９５が設置されている。【選択図】図１
2005301039.tif 000002
【特許請求の範囲】
【請求項１】
ボックス状の撮影室内の被撮影者を撮影し、その撮影画像をプリント出力する写真撮影装置において、
前記撮影室内における被撮影者を前記撮影室の外部から観察するための外部モニタ手段と、
前記撮影室の外部に設けられ、前記撮影手段の撮影動作を操作するための外部操作手段と、
を備えることを特徴とする写真撮影装置。
【請求項２】
前記外部モニタ手段は、前記撮影室内の被撮影者を撮影してその静止画像又は動画像を生成する被撮影者撮影手段と、前記被撮影者撮影手段により生成された被撮影者の静止画像又は動画像を表示画面上に表示する外部表示手段とから構成されることを特徴とする請求項１に記載の写真撮影装置。
【請求項３】
前記被撮影者撮影手段として、プリント出力用の撮影画像を撮影するための撮影手段を用いることを特徴とする請求項２に記載の写真撮影装置。
【請求項４】
前記外部モニタ手段は、前記撮影室の壁部の、当該撮影室内における被撮影者を撮影室の外部から観察可能な位置に設けられた観察用の透視窓であることを特徴とする請求項１に記載の写真撮影装置。
【請求項５】
前記撮影室の外部に設けられ、前記外部操作手段の操作者を撮影し、その撮影画像を生成する操作者撮影手段と、
前記撮影室の内部に設けられ、前記操作者撮影手段により生成された操作者の撮影画像を表示する室内表示手段と、
を備えることを特徴とする請求項１〜４の何れか一項に記載の写真撮影装置。
【発明の詳細な説明】
【技術分野】
【０００１】
本発明は、免許証やパスポート、履歴書等に使用される証明写真や、ポートレート、記念写真等を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、ボックス内部に形成された撮影室に顧客が入り、ガイドに従って顧客自らが撮影操作することにより、簡単にかつ短時間でプリント写真を得ることができる（例えば特許文献１参照）。
【０００３】
上記写真撮影装置は、証明写真に限らずポートレートや記念写真等の撮影を目的として利用されることも多い。例えば、デパート等の店頭に設置された写真撮影装置では、親子で来店したついでに子供の記念写真を撮影したりすることがある。従来から、撮影を行う撮影空間と撮影画像の編集操作を行うための編集空間とを分けた写真撮影装置も開発されている（例えば特許文献２参照）。このような構成の場合、操作能力に乏しい子供や幼児を撮影した場合に親が変わってその撮影画像の編集を行うことができる。
【特許文献１】特開平４−５０６２６４号公報
【特許文献２】特開２００２−２６２２８５号公報
【発明の開示】
【発明が解決しようとする課題】
【０００４】
しかしながら、写真撮影装置は顧客自らが撮影操作する構成となっているので、操作能力に乏しい子供や幼児を撮影する場合は、撮影操作も子供に変わって親が行わなければならず、親が子供と一緒に撮影室内へ入って子供を支えながら撮影操作をする、或いは撮影室の外から子供に指示しながら撮影室内に手だけ入れて撮影操作する等して撮影が行われていた。
【０００５】
このような撮影方法では、子供は正面を向かずに親の方を向いたり、撮影室内で１人になるため表情が硬くなってしまったりと、記念写真としては不適切な写真となってしまうことが多かった。そのため、子供や幼児を撮影する場合、何度か撮影を試みて最良の一枚を選択するといった対応しかできなかった。
【０００６】
本発明の課題は、撮影室外から撮影室内の様子を確認し、撮影操作を行うことが可能な写真撮影装置を提供することである。
【課題を解決するための手段】
【０００７】
請求項１に記載の発明は、写真撮影装置において、
ボックス状の撮影室内の被撮影者を撮影し、その撮影画像を生成する被撮影者撮影手段と、
前記生成された撮影画像をプリント出力するプリント手段と、
前記撮影室内における被撮影者を前記撮影室の外部から観察するための外部モニタ手段と、
前記撮影室の外部に設けられ、前記撮影手段の撮影動作を操作するための外部操作手段と、
を備えることを特徴とする。
【０００８】
請求項２に記載の発明は、請求項１に記載の写真撮影装置において、
前記外部モニタ手段は、前記撮影室内の被撮影者を撮影してその静止画像又は動画像を生成する被撮影者撮影手段と、前記被撮影者撮影手段により生成された被撮影者の静止画像又は動画像を表示画面上に表示する外部表示手段とから構成されることを特徴とする。
【０００９】
請求項３に記載の発明は、請求項２に記載の写真撮影装置において、
前記被撮影者撮影手段として、プリント出力用の撮影画像を撮影するための撮影手段を用いることを特徴とする。
【００１０】
請求項４に記載の発明は、請求項１に記載の写真撮影装置において、
前記外部モニタ手段は、前記撮影室の壁部の、当該撮影室内における被撮影者を撮影室の外部から観察可能な位置に設けられた観察用の透視窓であることを特徴とする。
【００１１】
請求項５に記載の発明は、請求項１〜４の何れか一項に記載の写真撮影装置において、
前記撮影室の外部に設けられ、前記外部操作手段の操作者を撮影し、その撮影画像を生成する操作者撮影手段と、
前記撮影室の内部に設けられ、前記操作者撮影手段により生成された操作者の撮影画像を表示する室内表示手段と、
を備えることを特徴とする。
【発明の効果】
【００１２】
請求項１に記載の発明によれば、撮影室外から、被撮影者を観察可能な構成とするとともに被撮影者の撮影動作を操作可能な構成としたので、被撮影者が自ら撮影操作を行うことが困難である場合には、撮影室外から被撮影者を観察しながら操作者が撮影動作を操作することができ、写真撮影装置の操作性を向上させることができる。
【００１３】
請求項２に記載の発明によれば、撮影室内の被撮影者が撮影された静止画又は動画の撮影画像を表示するので、この表示により撮影室外から被撮影者を観察することができる。
【００１４】
請求項３に記載の発明によれば、被撮影者モニタ用の撮影手段を別途設けることなく、プリント出力用の撮影手段により被撮影者のモニタ用画像を撮影することができ、コスト削減を図ることができる。
【００１５】
請求項４に記載の発明によれば、撮影室内の被撮影者を観察するための透視窓を撮影室壁部に設けたので、外部から被撮影者を観察するという本発明を安価なコストで実現することができる。
【００１６】
請求項５に記載の発明によれば、操作者の撮影画像を表示する室内表示手段を撮影室内に設けたので、撮影室内の被撮影者も操作者の様子を観察することができ、両者がコミュニケーションをとりながら撮影作業を進めることができる。
【発明を実施するための最良の形態】
【００１７】
まず、構成を説明する。
図１に、本実施の形態における写真撮影装置１００の外観図を示す。
図１に示すように、写真撮影装置１００はボックス型に形成されている。ボックス内部には撮影室Ｒが設けられており、撮影室Ｒへの出入り口にはカーテンが開閉可能に取り付けられている。また、写真撮影装置１００の外壁には、撮影室Ｒ内での撮影を操作するための操作画面等を表示する外部表示部９２、撮影操作の操作指示を入力するための外部操作部９３、操作者の動画映像を撮影するための外部カメラ９１、操作者の音声を入力するための外部マイク９４、アナウンス又は撮影室Ｒ内の被撮影者の音声を出力する外部スピーカ９５が設置されている。また、下部には撮影画像がプリント出力されたプリント写真が排出される取出口７１が設置されている。
【００１８】
図２に、写真撮影装置１００の内部透視図を示す。
図２に示すように、ボックス内部の撮影室Ｒには、被撮影者Ｍが座れるように椅子Ｃが回転可能に設置される。なお、椅子Ｃは回転により高さが昇降するように構成されている。さらに、被撮影者Ｍの上方、正面、背面にはそれぞれ照明用のストロボ２０ａが設置されており、さらに被撮影者Ｍの正面には、操作手順やその他撮影に関するガイド映像、撮影画像等を表示する室内表示部４０、操作指示を入力するための室内操作部６０、被撮影者Ｍの音声を入力するための室内マイク１、アナウンス又は撮影室Ｒ外の操作者の音声を出力する室内スピーカ２、撮影料金を精算するためのコインメック５０が設置されている。
【００１９】
次に、図３を参照して写真撮影装置１００の内部構成について説明する。
図３に示すように、写真撮影装置１００は、本体部１０、ストロボユニット２０、撮影用カメラ３０、室内表示部４０、コインメック５０、室内操作部６０、プリンタ部７０、通信部８０、外部カメラ９１、外部表示部９２、外部操作部９３、外部マイク９４、外部スピーカ９５を備えて構成されている。
【００２０】
また、本体部１０は、制御部１１、Ｉ／Ｏ（InputOutput）コントロール１２ａ、１２ｂ、ＲＯＭ（Read Only Memory）１３、ＲＡＭ（Random Access Memory）１４、ＤＶＤ（Digital Versatile Disk-R）１５、Ｉ／Ｆ（InterFace）１６から構成されており、Ｉ／Ｏコントロール１２ａを介してストロボユニット２０、コインメック５０、室内操作部６０、室内マイク１、室内スピーカ２に接続されているとともに、Ｉ／Ｏコントロール１２ｂを介して外部カメラ９１、外部表示部９２、外部操作部９３、外部マイク９４、外部スピーカ９５に接続されている。
【００２１】
制御部１１は、ＲＯＭ１３に格納されているシステムプログラムや本発明に係る撮影処理プログラム（図４参照）等の各種プログラムを読み出してＲＡＭ１４に展開し、当該プログラムにしたがって各部の動作を集中制御する。
【００２２】
撮影処理では、コインメック５０から入力される入金額情報に基づいて釣銭金額を算出してコインメック５０に通知し、料金精算を行わせる。また、制御部１１は、撮影モードとして通常の証明写真を撮影する証明写真メニューに対応する通常モードと、子供のポートレートを撮影する子供ポートレートメニューに対応する子供モードとを設定可能であり、室内操作部６０を介して顧客により選択されたメニューに対応する撮影モードを設定する。
【００２３】
子供モードが設定された場合には、外部操作部９３にプリント条件の選択画面等の各種操作画面を表示させ、室内操作部６０にはアニメ映像等を表示させる。そして、外部操作部９３を介してプリント条件が選択されると、撮影用カメラ３０及び外部カメラ９１を起動させ、撮影用カメラ３０により撮影された被撮影者Ｍの動画映像を外部表示部９２に、外部カメラ９１により撮影された操作者の動画映像を室内表示部４０に表示させる。またこのとき、室内スピーカ２により入力された被撮影者の音声を外部スピーカ９５に出力させ、外部マイク９４により入力された操作者の音声を室内スピーカ２に出力させる。一方、通常モードが設定された場合には、外部操作部９３による操作を無効とし、撮影室Ｒ外に設置される外部カメラ９１、外部表示部９２、外部マイク９４、外部スピーカ９５の動作を停止させて、撮影室Ｒ内でのみ撮影操作可能に制御する。
【００２４】
そして、外部操作部９３を介して撮影指示操作がなされると、当該撮影指示に応じてストロボユニット２０により発光を行わせるとともに撮影用カメラ３０によりプリント出力用の本撮影を行わせる。そして、撮影により得られた撮影画像に対し、拡大／縮小、トリミング、色補正等の画像処理を行って選択用画像、出力用画像を生成し外部表示部９２に順次表示させる。次いで、外部操作部９３を介してプリント出力の指示操作がなされると、出力用画像をプリンタ部７０によりプリント出力させる。
【００２５】
Ｉ／Ｏコントロール１２ａは、制御部１１と、ストロボユニット２０、コインメック５０、室内操作部６０、室内マイク１、室内スピーカ２との間で情報のやり取りを仲介するインターフェイスであり、制御部１１からの制御信号をストロボユニット２０、コインメック５０、室内操作部６０、室内マイク１、室内スピーカ２に送信するとともに、室内操作部６０から入力される操作信号を制御部１１に送信する。また、室内マイク１から入力される音信号を制御部１１に送信し、制御部１１から入力される音信号を室内スピーカ２に送信する。
【００２６】
Ｉ／Ｏコントロール１２ｂは、制御部１１と、外部カメラ９１、外部表示部９２、外部操作部９３、外部マイク９４、外部スピーカ９５との間で情報のやり取りを仲介するインターフェイスであり、制御部１１からの制御信号を外部カメラ９１、外部表示部９２、外部操作部９３、外部マイク９４、外部スピーカ９５に送信するとともに、外部操作部９３から入力される操作信号を制御部１１に送信する。また、外部マイク９４から入力される音信号を制御部１１に送信し、制御部１１から入力される音信号を外部スピーカ９５に送信する。
【００２７】
ＲＯＭ１３は、システムプログラムのほか、撮影処理プログラム等の各種プログラム及び各プログラムで処理されたデータ等を記憶する。
【００２８】
ＲＡＭ１４は、制御部１１によって実行される各種プログラム及びこれらプログラムに係るデータを一時的に記憶するワークエリアを形成する。また、ＲＡＭ１４は、撮影用カメラ３０により撮影された撮影画像の画像データを一時的に記憶するエリアを有する。
【００２９】
ＤＶＤ１５は、撮影用カメラ３０により撮影された撮影画像の画像データ、制御部１１によって各種画像処理が施されて作成された処理画像の画像データを記憶する。また、撮影ガイド用の映像や、子供モード時に表示されるアニメ映像等のデータを記憶する。
【００３０】
Ｉ／Ｆ１６は、制御部１１とプリンタ部７０との間で情報のやり取りを仲介するインターフェイスであり、制御部１１から入力される制御信号やプリント対象の出力用画像の画像データをプリンタ部７０に送信する。
【００３１】
ストロボユニット２０は、制御部１１からの制御信号にしたがって、写真撮影装置１００の各部に設置されたストロボ２０ａの発光タイミングや発光量を制御する。
【００３２】
撮影用カメラ３０は、被撮影者Ｍのプリント出力用の撮影（以下、本撮影という）を行う撮影手段であり、かつ本撮影前に被撮影者Ｍの動画映像を撮影する被撮影者撮影手段でである。撮影用カメラ３０は、光学レンズ、ＣＣＤ（Charge Coupled Device）等の光学センサ、Ａ／Ｄ変換部等から構成され、撮影時には光学レンズを介して入力される被写体像を光学センサにより光電変換して画像信号を生成する。そして、Ａ／Ｄ変換部によりアナログ画像信号からデジタル画像データを得て、当該デジタル画像データを制御部１１に出力する。なお、撮影用カメラ３０としては、動画及び静止画の記録が可能なデジタルビデオカメラが好ましいが、静止画の記録のみが可能なデジタルカメラを適用して所定時間毎に撮影された静止画を順次表示させることにより動画のように見せることとしてもよい。
【００３３】
室内表示部４０は、ＬＣＤ（Liquid Crystal Display）等を備えて構成される室内表示手段であり、制御部１１からの制御信号にしたがって、撮影手順を説明するガイド画面、プリント条件を選択するための条件選択画面等の各種操作画面や、外部カメラ９１により撮影された操作者の動画映像等を表示する。
【００３４】
コインメック５０は、硬貨や紙幣の入金口、釣銭返金口等を備えた金銭登録機であり、入金口から入金された金額の情報を制御部１１に出力する。また、制御部１１から指示された金額の硬貨又は紙幣を釣銭返金口に排出する。
【００３５】
室内操作部６０は、室内表示部４０と一体に構成されるタッチパネルや、撮影室Ｒの内壁に設けられている選択キー、撮影キー、室内操作部６０により撮影操作を行うモードと、外部操作部９３により撮影操作を行うモードとの切り換えを指示する操作切換キー等の各種機能キーを備えて構成され、操作されたキーに対応する操作信号を制御部１１に出力する。
【００３６】
室内マイク１は、撮影室Ｒ内の被撮影者Ｍの音声を集音し、音信号に変換して写真撮影装置１００に入力するものであり、当該入力された音信号を制御部１１に出力する。
【００３７】
室内スピーカ２は、制御部１１から入力されるガイド用アナウンスの音声信号や、外部マイク９４により入力された音信号を出力するものである。
【００３８】
プリンタ部７０は、制御部１１から入力された画像データに基づいてプリント出力を行うプリント手段である。本実施形態では、プリンタ部７０のプリント方式として、色材を昇華、転移させて画像を形成する昇華型熱転写方式が適用されていることとして説明するが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３９】
通信部８０は、ネットワークインターフェイスカード、モデム等の通信用インターフェイスから構成される通信手段であり、通信ネットワーク上の外部機器と相互に情報の送受信を行う。たとえば、他の写真撮影装置に画像データを転送してプリント出力させたり、ホストサーバに画像データを転送して画像登録することが可能である。
【００４０】
外部カメラ９１は、操作者の動画映像を撮影するための操作者撮影手段であり、その構成は撮影用カメラ３０と略同一であるので説明は省略する。外部カメラ９１は、撮影された操作者の動画映像のデータをＩ／Ｏコントロール１２ｂを介して制御部１１に出力する。
【００４１】
外部表示部９２は、撮影室Ｒ外に設置される操作者用の表示装置であり、各種操作画面や撮影用カメラ３０により撮影された被撮影者Ｍの動画映像等を表示する外部表示手段である。すなわち、この外部表示部９２及び撮影用カメラ３０により、撮影室Ｒ内の被撮影者を観察するための外部モニタ手段を実現することができる。
【００４２】
外部操作部９３は、操作者が撮影室Ｒ外から操作指示するための外部操作手段であり、その構成は室内操作部６０と略同一であるので異なる機能部分についてのみ説明する。すなわち、外部表示部９２は、各種機能キーを備え、押下されたキーに対応する操作信号をＩ／Ｏコントロール１２ｂを介して制御部１１に出力する。
【００４３】
外部マイク９４は、撮影室Ｒ外の操作者の音声を集音し、音信号に変換して写真撮影装置１００に入力するものであり、当該入力された音信号を制御部１１に出力する。
【００４４】
外部スピーカ９５は、制御部１１から入力されるガイド用アナウンスの音声信号や、室内マイク１により入力された音信号を出力する
【００４５】
次に、本実施形態における写真撮影装置１００の動作について説明する。
図４は、写真撮影装置１００により実行される撮影処理を説明するフローチャートであり、図５〜図７は撮影処理中に表示される各種操作画面の画面例を示す図である。
【００４６】
図４に示す撮影処理では、まず室内表示部４０に開始画面ｍ１（図５（ａ）参照）が表示されるとともに、規定料金を投入するようアナウンス音声が室内スピーカ２から出力されてガイダンスが行われる。そして、顧客によりコインメック５０に料金が投入されると、投入された料金金額に応じて制御部１１において釣銭の金額が算出され、釣銭がある場合はコインメック５０の返金口に釣銭が排出されて料金の精算が行われる（ステップＳ１）。
【００４７】
次いで、室内表示部４０にモード選択画面ｍ２（図５（ｂ）参照）が表示され、証明写真を撮影する証明写真メニュー又は子供のポートレートを撮影する子供ポートレートメニューのうち、何れかの撮影メニューを選択するようアナウンス音声が室内スピーカ２から出力される。ここで、証明写真メニューが選択されると撮影モードとして通常モードが設定され、子供のポートレートメニューが選択されると子供モードが設定される。顧客は、撮影の目的に応じて何れかを選択し、モード選択画面ｍ２上に表示された選択キーｋ１を押下する。
【００４８】
モード選択画面ｍ２において証明写真メニューが選択された場合（ステップＳ２；通常モード）、写真撮影装置１００の撮影モードとして通常モードが設定され、通常モードによる撮影処理に移行する。通常の撮影処理では、撮影室Ｒ外に設置された外部カメラ９１、外部表示部９２、外部操作部９３、外部マイク９４、外部スピーカ９５の動作が停止され、撮影室Ｒ外からの撮影操作が禁止される。一方、子供のポートレートメニューが選択された場合（ステップＳ２；子供モード）、撮影モードとして子供モードが設定される。子供モードに設定されたことにより外部操作部９３による操作に切り換えられ、室内操作部６０による操作は無効となる。本実施形態では、子供モードの設定により、室内操作部６０と外部操作部９３の切換が行われることとしたが、これに限らず室内操作部６０の操作切換キーの操作により切り換えることとしてもよい。
【００４９】
以下、本発明に特徴的な子供モードによる撮影処理を説明するが、撮影室Ｒ内に設置された各部と撮影室Ｒ外に設置された各部とで並行して処理がなされるので、説明の便宜上、図４に示すフローチャートを撮影室Ｒの内外で分けて示し、撮影室Ｒ内と撮影室Ｒ外とで行われる処理を別々に説明する。
まず、操作者は被撮影者Ｍ（ここでは、子供であるとする）を撮影室Ｒ内に残して撮影室Ｒ外へ出る。写真撮影装置１００では、撮影室Ｒ内では室内表示部４０上にアニメ映像が表示され、その音声が室内スピーカ２から出力される（ステップＳ３）。一方、撮影室Ｒ外では外部表示部９２上に条件選択画面ｍ３（図５（ｃ）参照）、条件選択画面ｍ４（図６（ａ）参照）が順次表示される（ステップＳ４）。
【００５０】
条件選択画面ｍ３では、図５（ｃ）に示すようにプリント写真を白黒とカラーの何れにするかを選択するための選択キーｋ２が表示される。また、条件選択画面ｍ４では、図６（ａ）に示すようにプリント写真の大きさを８コマ、６コマ、５コマ、３コマのうち何れにするかを選択するための選択キーｋ３が表示される。操作者は、この条件選択画面ｍ３、ｍ４において外部操作部９３を介して選択キーｋ２、ｋ３を操作し、各プリント条件を選択する。
【００５１】
写真撮影装置１００では、条件選択画面ｍ３、ｍ４において外部操作部９３によるプリント条件の選択操作に従って選択されたプリント条件が設定される（ステップＳ５）。次いで、外部カメラ９１が起動されるとともに（ステップＳ６）、撮影用カメラ３０が起動される（ステップＳ７）。
【００５２】
次いで、撮影室Ｒ外では外部操作部９３上にガイド画面ｍ５（図６（ｂ）参照）が表示され、このガイド画面ｍ５において撮影用カメラ３０により撮影された被撮影者Ｍの動画映像ｍ５１が表示されるとともに室内マイク１により集音された音声が外部スピーカ９５から出力される。また、ガイド画面ｍ５では、図６（ｂ）に示すように動画映像ｍ５１により被撮影者Ｍを確認しながら撮影キーｋ４を押下するよう促すメッセージが表示されるとともに、室内スピーカ２からそのアナウンス音声が出力されて、撮影ガイダンスが行われる（ステップＳ８）。
【００５３】
撮影室Ｒ外にいる操作者は、外部表示部９２に表示された動画映像ｍ５１を確認しながら、撮影室Ｒ内の被撮影者Ｍに撮影用カメラ３０の方に注目するように注意喚起したり、笑うように伝えたりと音声により被撮影者Ｍを誘導することができる。
【００５４】
一方、撮影室Ｒ外でプリント条件の設定操作が終了すると、撮影室Ｒ内では室内表示部４０上にガイド画面ｍ６（図６（ｃ）参照）が表示され、このガイド画面ｍ６において外部カメラ９１により撮影された操作者の動画映像ｍ６１が表示されるとともに、外部マイク９４により入力された操作者の音声が室内スピーカ２から出力される（ステップＳ９）。
【００５５】
撮影室Ｒ内にいる被撮影者Ｍは、室内表示部４０に表示された動画映像ｍ６１を見たり、室内スピーカ２から出力される音声を聞くことができ、その指示に従ってポーズをとったりすることができる。
【００５６】
このように、操作者が撮影室Ｒ外から被撮影者Ｍを誘導後、被撮影者Ｍの表情やポーズが良いときに外部操作部９３により撮影キーｋ４を押下する。写真撮影装置１００では、外部操作部９３を介して撮影キーｋ４が押下され、撮影指示がなされると（ステップＳ１０）、当該撮影指示に応じて撮影室Ｒ内ではストロボ２０ａが発光されて撮影用カメラ３０により本撮影が行われ、撮影画像が生成される（ステップＳ１１）。
【００５７】
次いで、生成された撮影画像が外部表示部９２上に表示される（ステップＳ１２）。表示時にはまず、生成された撮影画像に対し、制御部１１において画像選択用に拡大／縮小によるサイズ調整、トリミング等の画像処理が行われ、選択用画像が生成される。そして、外部表示部９２上に画像選択画面ｍ７（図７（ａ）参照）が表示され、この画像選択画面ｍ７上に生成された選択用画像ｍ７１が選択キーｋ５により選択可能に表示される。そして、画像選択画面ｍ７において選択キーｋ５が押下され、何れかの選択用画像ｍ７１が選択操作されると、選択された選択用画像ｍ７１に対応する撮影画像にプリント出力用の画像処理が施され、出力用画像が生成される。そして、外部表示部９２にプリント決定画面ｍ８（図７（ｂ）参照）が表示され、このプリント決定画面ｍ８上に生成された出力用画像ｍ８１が表示される。プリント決定画面ｍ８では、出力用画像ｍ８１とともにプリント出力を指示するためのプリントキーｋ８と撮り直しを指示するための撮り直しキーｋ９が表示される。
【００５８】
操作者は、プリント決定画面ｍ８に表示された出力用画像ｍ８１を確認し、その画像で良ければプリントキーｋ８を、再撮影するのであれば撮り直しキーｋ９を外部操作部９３により押下操作する。
【００５９】
写真撮影装置１００では、外部操作部９３を介してプリントキーｋ８が操作され、プリント出力の指示がなされると（ステップＳ１３）、出力用画像ｍ８１に対応する撮影画像のプリント出力がプリンタ部７０により行われる（ステップＳ１４）。そして、外部表示部９２には終了画面ｍ９（図７（ｃ）参照）が表示され、撮影室Ｒ外の取出口７１に排出されるプリント写真を待機するようガイダンスが行われると、本処理を終了する。
【００６０】
以上のように、本実施形態によれば、撮影室Ｒ外に外部表示部９２、外部操作部９３を設け、外部表示部９２上に撮影室Ｒ内の被撮影者Ｍの動画映像を表示させたので、子供のように自らが撮影操作することが困難な被撮影者Ｍを撮影する場合には、親等の操作者が撮影室Ｒ外から撮影操作を行うことができ、写真撮影装置１００の操作環境を向上させることができる。
【００６１】
また、操作者の映像を撮影室Ｒ内の室内表示部４０に表示させるので、被撮影者Ｍが子供であり、操作者が親である場合等は、子供は室内表示部４０に表示された親の顔に注目させることができる。また、子供だけが撮影室Ｒ内に残された場合でも親の顔を見ることができるので、安心感を与えることができる。
【００６２】
さらに、撮影室Ｒ内に室内マイク１、室内スピーカ２、撮影室Ｒ外に外部マイク９４、外部スピーカ９５を設けて、撮影室Ｒ外の操作者の音声を撮影室Ｒ内の被撮影者Ｍに、撮影室Ｒ内の被撮影者Ｍの音声を撮影室Ｒ外の操作者に提供する構成としたので、操作者は好印象な撮影画像が得られるように撮影室Ｒ外から被撮影者Ｍの向きや表情等を音声により誘導することができる。また、操作者も被撮影者Ｍの音声を聞くことができるので、両者がコミュニケーションをとりながら、撮影作業を進めることができる。
【００６３】
なお、本実施形態における記述内容は、本発明を適用した写真撮影装置１００の好適な一例であり、これに限定されるものではない。
【００６４】
例えば、外部表示部９２を設けずに、図８に示すように被撮影者Ｍの後方側の壁面等、撮影室Ｒ内の被撮影者Ｍを外部から確認可能な位置に観察用の窓部ｗを設けて、この窓部ｗにマジックミラー９６を設置した写真撮影装置２００であってもよい。マジックミラー９６は操作者側から撮影室Ｒ内部を透視可能とし、被撮影者Ｍからは撮影室Ｒ外部は見えないように設置する。これにより、外部表示部９２を設けることなく、操作者は撮影室Ｒ内部の様子を確認することができるので、低コストとすることができる。なお、写真撮影装置２００の場合、この窓部ｗが設けられた外壁面に外部カメラ９１、外部操作部９３、外部マイク９４、外部スピーカ９５が設置され、撮影操作用の各種操作画面ｍ１〜ｍ９は室内表示部４０に表示される。操作者は、プリント条件等の設定や撮影後の画像選択等は撮影室Ｒ内で行い、撮影時のみ撮影室Ｒ外に出て撮影室Ｒ外から外部操作部９３を介して撮影操作する。
【００６５】
なお、マジックミラー９６ではなく、ガラス板や透明性のプラスチック板等を窓部ｗに設置することとしてもよいが、この場合、操作者がともに撮影されないように撮影時に窓部ｗを覆うことができるカーテンやカバー板等を窓部ｗに設けることが好ましい。また、図８に示す写真撮影装置２００において、操作者用の操作画面を表示するための外部表示部９２をさらに設けることとしてもよい。これにより、操作者は撮影室Ｒ外において一連の撮影操作を全て行うことができ、操作性が向上する。
【００６６】
また、上述した実施形態では、外部モニタ手段として被撮影者Ｍの本撮影を行う撮影用カメラ３０を適用し、撮影用カメラ３０が本撮影と本撮影前における操作者の動画映像の撮影を兼用することとしたが、外部モニタ手段として操作者の動画映像を撮影するモニタ用カメラ等を別途撮影室Ｒ内に設けることとしてもよい。
【００６７】
その他、本実施形態における写真撮影装置１００の細部構成及び細部動作に関しても、本発明の趣旨を逸脱することのない範囲で適宜変更可能である。
【図面の簡単な説明】
【００６８】
【図１】本実施の形態における写真撮影装置１００の外観図である。
【図２】写真撮影装置１００の内部透視図である。
【図３】写真撮影装置１００の内部構成を示す図である。
【図４】写真撮影装置１００により実行される撮影処理を説明するフローチャートである。
【図５】室内表示部４０又は外部表示部９２に表示される操作画面例を示す図であり、（ａ）開始画面ｍ１、（ｂ）モード選択画面ｍ２、（ｃ）条件選択画面ｍ３を示す図である。
【図６】室内表示部４０又は外部表示部９２に表示される操作画面例を示す図であり、（ａ）条件選択画面ｍ４、（ｂ）ガイド画面ｍ５、（ｃ）ガイド画面ｍ６を示す図である。
【図７】室内表示部４０又は外部表示部９２に表示される操作画面例を示す図であり、（ａ）画像選択画面ｍ７、（ｂ）プリント決定画面ｍ８、（ｃ）終了画面ｍ９を示す図である。
【図８】他の実施形態における写真撮影装置２００の外観図を示す図である。
【符号の説明】
【００６９】
１００    写真撮影装置
１０    本体部
１１    制御部
１２ａ    Ｉ／Ｏコントロール
１２ｂ    Ｉ／Ｏコントロール
１３    ＲＯＭ
１４    ＲＡＭ
１５    ＤＶＤ
１６    Ｉ／Ｆ
２０    ストロボユニット
２０ａ    ストロボ
３０    撮影用カメラ
４０    室内表示部
５０    コインメック
６０    室内操作部
１    室内マイク
２    室内スピーカ
７０    プリンタ部
８０    通信部
９１    外部カメラ
９２    外部表示部
９３    外部操作部
９４    外部マイク
９５    外部スピーカ
２００    写真撮影装置（他の実施形態）
ｗ    窓部
９６    マジックミラー
【図１】
2005301039.tif 000003
【図２】
2005301039.tif 000004
【図３】
2005301039.tif 000005
【図４】
2005301039.tif 000006
【図５】
2005301039.tif 000007
【図６】
2005301039.tif 000008
【図７】
2005301039.tif 000009
【図８】
2005301039.tif 000010